(57)【要約】      （修正有）【課題】ボードにクリップ固定用の長孔等を設けることなく、ボードの端辺の任意の位置にクリップを着脱自在に取り付け可能な移動式クリップボードを提供する。【解決手段】移動式クリップボード１は、表面および裏面を有し、表面に書類５０が載置されるボード２と、ボード２の任意の端辺に着脱可能に構成されたベース部材と、ベース部材に回転可能に取付けられた押さえ部材と、押さえ部材に押さえ力を付与するバネ部材とを有するクリップ３とを備える。ボード２の裏面には、各端辺の少なくとも一部に沿って延在する凸状のレール部が設けられる。ベース部材は、ボード２の表面に当接する板部材と、板部材の一辺から延びてボート２の端辺を厚み方向に回り込んでレール部と係合する爪部とを有する。【選択図】図１
0003187187.tif 000002
【実用新案登録請求の範囲】
【請求項１】
表面および裏面を有し、前記表面に書類が載置されるボードと、
前記ボードの任意の端辺に着脱可能に構成されたベース部材と、前記ベース部材に回転可能に取付けられた押さえ部材と、前記押さえ部材に押さえ力を付与するバネ部材とを有するクリップと、
を備え、
前記ボードの裏面には、各端辺の少なくとも一部に沿って延在する凸状のレール部が設けられ、
前記クリップの前記ベース部材は、前記ボードの表面に当接する板部材と、前記板部材の一辺から延びて前記ボートの端辺を厚み方向に回り込んで前記ボードの裏面のレール部と係合する爪部とを有し、
前記爪部は、前記ボードのレール部の長さ方向の任意の位置で前記レール部と係合でき、前記クリップを前記ボードの端辺の任意の位置に着脱自在に取り付け可能であることを特徴とする移動式クリップボード。
【請求項２】
前記爪部は、前記爪部の先端に接続され、前記板部材との隙間が先端にいくほど拡開する案内部を有することを特徴とする請求項１に記載の移動式クリップボード。
【請求項３】
前記押さえ部材は、押さえ本体部と、前記押さえ本体部に接続する先端部とを有し、
前記先端部は、前記クリップが前記ボードに装着された状態において、前記バネ部材の押さえ力により、前記ボードの表面に当接し、
前記先端部の前記ボードと対向する面には、滑り止め部が設けられていることを特徴とする請求項１または２に記載の移動式クリップボード。
【請求項４】
前記押さえ部材には、筆記具を保持するためのフック状のペンホルダーが設けられていることを特徴とする請求項１〜３のいずれかに記載の移動式クリップボード。
【請求項５】
前記ボードの表面には、前記ボードの端辺に沿って、スケール目盛りが設けられていることを特徴とする請求項１〜４のいずれかに記載の移動式クリップボード。
【考案の詳細な説明】
【技術分野】
【０００１】
本考案は、移動式クリップボードに関し、より詳しくは、ボードの端辺の任意の位置にクリップを着脱自在に取り付け可能であることを特徴とする移動式クリップボードに関する。
【背景技術】
【０００２】
従来のクリップボードでは、書類を挟むためのクリップは通常、ボードの所定の位置に固定されている。
【０００３】
クリップの位置は、使い易さや作業効率の観点から、クリップが邪魔にならないように、書類の方向（タテ、ヨコ）や使用者の利き手などに応じて変更可能であることが望ましい。
【０００４】
特許文献１には、クリップに差し込み片を設け、該クリップの差し込み片をボードに設けられた長孔に差し込むことで、クリップをボードに対して取り外し自在に具備させたクリップボードが記載されている。
【先行技術文献】
【特許文献】
【０００５】
【特許文献１】特開平１０−２１７６６１号公報
【考案の概要】
【考案が解決しようとする課題】
【０００６】
しかしながら、特許文献１に記載のクリップボードでは、クリップの位置がボードの長孔に固定されてしまい、クリップをボードの端辺の任意の位置に取付けることができない。
【０００７】
また、ボードに長孔を複数設けることで、ペン等の筆記具の先端が長孔に引っ掛かるなどして、作業効率が低下するおそれもある。
【０００８】
そこで、本考案は、クリップをボードの端辺の任意の位置に着脱自在に取り付け可能なクリップボードを提供することを目的とする。
【課題を解決するための手段】
【０００９】
本考案の一態様に係る移動式クリップボードは、
表面および裏面を有し、前記表面に書類が載置されるボードと、
前記ボードの任意の端辺に着脱可能に構成されたベース部材と、前記ベース部材に回転可能に取付けられた押さえ部材と、前記押さえ部材に押さえ力を付与するバネ部材とを有するクリップと、
を備え、
前記ボードの裏面には、各端辺の少なくとも一部に沿って延在する凸状のレール部が設けられ、
前記クリップの前記ベース部材は、前記ボードの表面に当接する板部材と、前記板部材の一辺から延びて前記ボートの端辺を厚み方向に回り込んで前記ボードの裏面のレール部と係合する爪部とを有し、
前記爪部は、前記ボードのレール部の長さ方向の任意の位置で前記レール部と係合でき、前記クリップを前記ボードの端辺の任意の位置に着脱自在に取り付け可能であることを特徴とする。
【００１０】
前記移動式クリップボードにおいて、
前記爪部は、前記爪部の先端に接続され、前記板部材との隙間が先端にいくほど拡開する案内部を有するようにしてもよい。
【００１１】
前記移動式クリップボードにおいて、
前記押さえ部材は、押さえ本体部と、前記押さえ本体部に接続する先端部とを有し、
前記先端部は、前記クリップが前記ボードに装着された状態において、前記バネ部材の押さえ力により、前記ボードの表面に当接し、
前記先端部の前記ボードと対向する面には、滑り止め部が設けられているようにしてもよい。
【００１２】
前記移動式クリップボードにおいて、
前記押さえ部材には、筆記具を保持するためのフック状のペンホルダーが設けられているようにしてもよい。
【００１３】
前記移動式クリップボードにおいて、
前記ボードの表面には、前記ボードの端辺に沿って、スケール目盛りが設けられているようにしてもよい。
【考案の効果】
【００１４】
本考案のクリップボードでは、ボードの裏面には各端辺の少なくとも一部に沿って延在する凸状のレール部が設けられ、また、クリップのベース部材は、板部材の一辺から延びてボートの端辺を厚み方向に回り込んでボードの裏面のレール部と係合する爪部を有する。
【００１５】
これにより、レール部と係合したクリップは、ボードの端辺に沿って移動（スライド）させることができる。また、使用者がクリップを握ってボードの外側に引っ張ることで、爪部が開いてクリップを容易に取り外すことができる。
【００１６】
よって、本考案によれば、ボードの端辺の任意の位置にクリップを着脱自在に取り付け可能なクリップボードを提供することができる。
【図面の簡単な説明】
【００１７】
【図１】本考案の実施形態に係るクリップボード１の使用態様を説明するための図である。
【図２】（ａ）はクリップボード１のボード２の裏面の平面図であり、（ｂ）はボード２を右側（または左側）から見た側面図である。
【図３】クリップボード１のクリップ３の斜視図である。
【図４】（ａ）はクリップ３のベース部材１１の平面図であり、（ｂ）はベース部材１１を左側から見た側面図であり、（ｃ）はベース部材１１を下側から見た側面図である。
【図５】（ａ）はクリップ３の押さえ部材１２の平面図であり、（ｂ）は押さえ部材１２を右側から見た側面図であり、（ｃ）は押さえ部材１２を下側から見た側面図である。
【図６】（ａ）はクリップ３のバネ部材１３の平面図であり、（ｂ）はバネ部材１３を右側（または左側）から見た側面図である。
【図７】ボード２の一部、およびボード２に取付けられたクリップ３の側面図である。
【考案を実施するための形態】
【００１８】
以下、図面を参照しながら、本考案の実施形態について説明する。なお、各図において同等の機能を有する構成要素には同一の符号を付し、同一符号の構成要素の詳しい説明は繰り返さない。
【００１９】
図１は、本考案の実施形態に係るクリップボード１の使用態様を説明するための図を示している。図１に示すように、クリップボード１は、書類５０が載置されるボード２と、書類５０を挟み込むクリップ３とを備えている。
【００２０】
クリップ３は、図１に示すように、ボード２の左側の端辺、上側の端辺、右側の端辺に取り付け可能である。なお、図示しないが、クリップ３は、ボード２の下側の端辺にも取り付け可能である。
【００２１】
なお、クリップ３にペンホルダー１５を設け、ペンや鉛筆などの筆記具６０を保持するようにしてもよい。このペンホルダー１５は、筆記具６０を保持するためのフック状のペンホルダーである。これにより、移動式クリップボード１の使い易さや作業効率をさらに向上させることができる。
【００２２】
次に、クリップボード１の詳細な構成について説明する。
【００２３】
まず、ボード２の詳細構成について、図２を参照して説明する。図２（ａ）はボード２の裏面の平面図を示し、図２（ｂ）はボード２の側面図を示している。
【００２４】
ボード２は、表面２Ａおよび裏面２Ｂを有する。このボード２の表面２Ａに書類が載置される。このボード２は、例えば、樹脂（ＡＢＳ樹脂等）からなる。
【００２５】
ボード２の平面サイズは、例えば、Ａ４用サイズ（２５０ｍｍ×３２０ｍｍ）、またはＢ４用サイズ（２３０ｍｍ×２９０ｍｍ）である。また、ボード２の厚み（レール部４，５を含まない。）は例えば、２ｍｍである。
【００２６】
図２（ａ）および図２（ｂ）に示すように、ボード２の裏面２Ｂには、凸状のレール部４，５が設けられている。このレール部４，５は、ボード２の各端辺２ｅに沿って延在するように設けられている。レール部４，５の高さは、例えば、０．６ｍｍであり、レール部４，５の幅は、例えば５ｍｍである。
【００２７】
なお、レール部４，５は、ボード２の端辺２ｅの全長にわたって設けられてもよい。あるいは、レール部４，５は、図２（ａ）に示すように、端辺２ｅの端部を除く部分に設けられてもよい。このように、レール部４，５は、端辺２ｅの少なくとも一部に沿って設けられる。
【００２８】
また、図２（ａ）および図２（ｂ）に示すように、ボード２の隅部にレール部４，５を設けないようにしてもよい。これにより、クリップ３をボード２の隅部にスライドさせることにより、ボード２から容易に取り外すことができる。
【００２９】
また、図１に示すように、ボード２の表面２Ａに、ボード２の端辺２ｅに沿って、スケール目盛りを設けてもよい。これにより、作業効率をさらに向上させることができる。
【００３０】
次に、クリップ３の詳細構成について、図３〜図６を参照して説明する。図３は、クリップ３の斜視図を示している。図４、図５および図６はそれぞれ、ベース部材１１、押さえ部材１２およびバネ部材１３の構成を示している。
【００３１】
図３に示すように、クリップ３は、ボード２の任意の端辺２ｅに着脱可能に構成されたベース部材１１と、ベース部材１１に回転可能に取付けられた押さえ部材１２と、押さえ部材１２に押さえ力を付与するバネ部材１３とを有する。
【００３２】
ベース部材１１および押さえ部材１２は、例えば、樹脂（ＡＢＳ樹脂等）からなる。
【００３３】
ベース部材１１の詳細構成について、図４を参照して説明する。図４（ａ）はベース部材１１の平面図であり、図４（ｂ）はベース部材１１を左側から見た側面図であり、図４（ｃ）はベース部材１１を下側から見た側面図である。
【００３４】
ベース部材１１は、略平板状の板部材１９と、フック状の爪部２０とを有する。
【００３５】
板部材１９は、ボード２にクリップ３を取り付けた状態において、ボードの表面２Ａに当接する。
【００３６】
また、板部材１９には、係合部２６およびバネ取付け部２７が設けられている。係合部２６には、だるま孔が形成されている。この係合部２６のだるま孔に押さえ部材１２の差し込み軸１７が嵌め込まれることで、差し込み軸１７は係合部２６に軸支される。
【００３７】
バネ取付け部２７には、図４（ａ）に示すように、バネ溝２５が設けられている。このバネ溝２５には、バネ部材１３の構成部分１３ｄが嵌め込まれる。
【００３８】
爪部２０は、レール部４またはレール部５と係合するように構成されている。より詳しくは、爪部２０は、板部材１９の一辺から延びてボート２の端辺２ｅを厚み方向に回り込んで、ボード２の裏面２Ｂのレール部４またはレール部５と係合するように構成されている。
【００３９】
図４（ａ）および図４（ｃ）に示すように、爪部２０は、立設部２１と、延在部２２と、降下部２３と、案内部２４とを有する。
【００４０】
立設部２１は、板部材１９の一辺から、押さえ部材１２の反対となる方向に向かって立設されている。延在部２２は、立設部２１の先端から板部材１９と略平行に、レール部４，５の幅に相当する長さ程度延在する。降下部２３は、延在部２２の先端から板部材１９に向けて降下する。案内部２４は、降下部２３（爪部２０の先端）に接続され、板部材１９との隙間が先端にいくほど拡開するように設けられている。
【００４１】
次に、押さえ部材１２の詳細構成について、図５を参照して説明する。図５（ａ）は押さえ部材１２の平面図であり、図５（ｂ）は押さえ部材１２を右側から見た側面図であり、図５（ｃ）は押さえ部材１２を下側から見た側面図である。
【００４２】
押さえ部材１２は、押さえ本体部３０と、この押さえ本体部３０に接続する先端部３１とを有する。
【００４３】
先端部３１は、クリップ３がボード２に取り付けられた状態において、バネ部材１３の押さえ力により、ボード２の表面２Ａに当接する。
【００４４】
また、先端部３１のボード２と対向する面には、図５（ｃ）に示すように、滑り止め部３１ａが設けられている。これにより、クリップボード１から書類が落下することを防止し、使い易さや作業効率をさらに向上させることができる。例えば、滑り止め部３１ａとして、先端部３１のボード２と対向する面に、線状の凸部が複数本設けられる。あるいは、滑り止め部３１ａとして、先端部３１のボード２と対向する面にゴム膜が設けられる。
【００４５】
押さえ本体部３０には、前述のペンホルダー１５の他、凸設部１６、差し込み軸１７、バネ取付け部１８、ペンホルダー用抜き孔３０ａおよび吊し用孔３０ｂが設けられている。
【００４６】
図５（ａ）および図５（ｂ）に示すように、２つの対向する凸設部１６と、これらの凸設部を繋ぐ差し込み軸１７とが、ベース部材１１の係合部２６と係合する係合部を構成する。差し込み軸１７が係合部２６に軸支されることにより、押さえ部材１２は、差し込み軸１７を中心に回転可能にベース部材１１に取り付けられる。
【００４７】
バネ取付け部１８は、バネ部材１３の太さ程度の間隔を空けて略平行に配置された２本の線状の凸部から構成される。このバネ取付け部１８のバネ溝１８ａには、バネ部材１３の構成部分１３ａが嵌め込まれる。
【００４８】
ペンホルダー用抜き孔３０ａは、ペンホルダー１５を設けるために形成された抜き孔である。
【００４９】
吊し用孔３０ｂは、クリップボード１を壁等に吊す糸を通すために設けられた貫通孔である。なお、この吊し用孔３０ｂは、クリップ３ではなく、ボード２に設けてもよい。
【００５０】
次に、バネ部材１３の詳細構成について、図６を参照して説明する。図６（ａ）はバネ部材１３の平面図であり、図６（ｂ）はバネ部材１３の側面図である。
【００５１】
バネ部材１３は、構成部分１３ａ，１３ｂ，１ｃおよび１３ｄを有する。構成部分１３ａは、押さえ部材１２のバネ取付け部１８のバネ溝１８ａに嵌め込まれる。また、構成部分１３ｄは、ベース部材１１のバネ取付け部２７のバネ溝１５に嵌め込まれる。
【００５２】
上記バネ部材１３は、クリップ３がボード２に取り付けられた状態において、押さえ部材１２がボード２に載置された書類を押さえる力、即ち書類を挟むための力を付与する。
【００５３】
次に、クリップ３のボード２への取り付けについて、図７を参照して説明する。図７は、ボード２に取付けられたクリップ３の側面図を示している。
【００５４】
図７に示すように、クリップ３がボード２の端辺２ｅに取り付けられた状態において、爪部２０の降下部２３は、レール部４（またはレール部５）の内縁部と係合する。
【００５５】
このようにして、クリップ３の爪部２０は、ボード２のレール部４，５の長さ方向の任意の位置でレール部４（またはレール部５）と係合できる。
【００５６】
レール部４（またはレール部５）と係合したクリップ３は、ボード２の端辺２ｅに沿って移動（スライド）させることができる。
【００５７】
クリップ３の取り外しについては、使用者がクリップ３を握ってボード２の外側に引っ張ることで、爪部２０が開いてクリップ３を取り外すことができる。
【００５８】
よって、本実施形態の移動式クリップボードによれば、クリップ３をボード２の端辺２ｅの任意の位置に着脱自在に取り付け可能である。
【００５９】
また、本考案では、ボード２にクリップ固定用の長孔を設けないので、ペン等の筆記具の先端が長孔に引っ掛かるなどして、作業効率が低下するおそれもない。
【００６０】
上記の説明から理解されるように、クリップボード１によれば、クリップ３を使用者にとって使い易い位置に自由に取り付けることができ、使い易さや作業効率を高めることができる。
【００６１】
上記の記載に基づいて、当業者であれば、本考案の追加の効果や種々の変形を想到できるかもしれないが、本考案の態様は、上述した実施形態に限定されるものではない。実用新案登録請求の範囲に規定された内容及びその均等物から導き出される本考案の概念的な思想と趣旨を逸脱しない範囲で種々の追加、変更及び部分的削除が可能である。
【符号の説明】
【００６２】
１  移動式クリップボード
２  ボード
２Ａ  表面
２Ｂ  裏面
２ｅ  端辺
３  クリップ
４，５  レール部
１１  ベース部材
１２  押さえ部材
１３  バネ部材
１３ａ，１３ｂ，１３ｃ，１３ｄ  構成部分
１５  ペンホルダー
１６  凸設部
１７  差し込み軸
１８  バネ取付け部
１８ａ  バネ溝
１９  板部材
２０  爪部
２１  立設部
２２  延在部
２３  降下部
２４  案内部
２５  バネ溝
２６  係合部
２７  バネ取付け部
３０  押さえ本体部
３０ａ  ペンホルダー用抜き孔
３０ｂ  吊し用孔
３１  先端部
３１ａ  滑り止め部
５０  書類
６０  筆記具
【図１】
0003187187.tif 000003
【図２】
0003187187.tif 000004
【図３】
0003187187.tif 000005
【図４】
0003187187.tif 000006
【図５】
0003187187.tif 000007
【図６】
0003187187.tif 000008
【図７】
0003187187.tif 000009